(57)【特許請求の範囲】
【請求項１】
建物の内部に設置可能に構成されるとともに、可搬性を有し、前記建物の錠装置とは異なる可搬装置と、
前記可搬装置に通信回線を介して接続され、前記可搬装置を管理する管理機器とを備え、
前記可搬装置は、
当該可搬装置を制御する可搬装置側制御手段を備え、
前記可搬装置側制御手段は、
前記建物の内部に発生した異常を検知した場合に、前記通信回線を介して前記管理機器に異常を通知する異常通知部を備え、
前記管理機器は、
当該管理機器を制御する管理機器側制御手段を備え、
前記管理機器側制御手段は、
前記異常通知部にて異常を通知された場合に、管理者に異常を報知する異常報知部を備えることを特徴とする無人内覧システム。
【請求項２】
請求項１に記載された無人内覧システムにおいて、
前記可搬装置は、前記建物の錠装置に通信回線を介して接続され、
前記可搬装置側制御手段は、前記錠装置が正常に開錠されたか否かを判定し、正常に開錠されていないと判定した場合に、前記建物の内部に発生した異常を検知する錠装置判定部を備えることを特徴とする無人内覧システム。
【発明の詳細な説明】
【技術分野】
【０００１】
本発明は、内覧者に建物の内部を内覧させる無人内覧システムに関する。
【背景技術】
【０００２】
従来、不動産仲介業において、建物の内部を自由に内覧することができるシステムが提案されている。例えば、特許文献１に記載された不動産仲介業務支援システムは、不動産物件（建物）に内覧ロボットを設置し、この内覧ロボットの得た物件内の様子や、物件内の音などの情報を顧客端末に送信することによって、業者の立ち合いを必要とすることなく、無人にて建物の内覧をすることができるようになっている。
【先行技術文献】
【特許文献】
【０００３】
【特許文献１】特開２０１７−１０７２７２号公報
【発明の概要】
【発明が解決しようとする課題】
【０００４】
しかしながら、特許文献１に記載された発明では、無人にて建物の内覧をすることができるものの、実際に建物の内部を見て入居するか否かを判断したいという入居希望者の要望に沿うことができないという問題がある。
これに対して、入居希望者の要望に沿うべく実際に建物の内部を内覧させる場合には、建物の内部の破損などを抑制するために、業者の立ち合いを必要とすることになる。
【０００５】
本発明の目的は、業者の立ち合いを必要とすることなく、無人にて建物の内覧をすることができ、建物の内部の破損などを抑制することができる無人内覧システムを提供することである。
【課題を解決するための手段】
【０００６】
本発明の無人内覧システムは、建物の内部に設置可能に構成されるとともに、可搬性を有し、建物の錠装置とは異なる可搬装置と、可搬装置に通信回線を介して接続され、可搬装置を管理する管理機器とを備え、可搬装置は、この可搬装置を制御する可搬装置側制御手段を備え、可搬装置側制御手段は、建物の内部に発生した異常を検知した場合に、通信回線を介して管理機器に異常を通知する異常通知部を備え、管理機器は、この管理機器を制御する管理機器側制御手段を備え、管理機器側制御手段は、異常通知部にて異常を通知された場合に、管理者に異常を報知する異常報知部を備えることを特徴とする。
【０００７】
このような構成によれば、可搬装置は、建物の内部に設置可能に構成されるとともに、可搬性を有するので、内覧希望の建物に内覧前に設置しておくことができ、入居契約を締結した場合には、容易に可搬装置を撤去することができる。また、可搬装置側制御手段は、建物の内部に発生した異常を検知した場合に、通信回線を介して管理機器に異常を通知する異常通知部を備え、管理機器側制御手段は、異常通知部にて異常を通知された場合に、管理者に異常を報知する異常報知部を備えているので、業者の立ち合いなく建物を内覧させる場合であっても、管理者は、建物の内部の破損などの異常を容易に把握することができる。したがって、本発明の無人内覧システムによれば、業者の立ち合いを必要とすることなく、無人にて建物の内覧をすることができ、建物の内部の破損などを抑制することができる。
【０００８】
本発明では、可搬装置は、建物の錠装置に通信回線を介して接続され、可搬装置側制御手段は、錠装置が正常に開錠されたか否かを判定し、正常に開錠されていないと判定した場合に、建物の内部に発生した異常を検知する錠装置判定部を備えることが好ましい。
【０００９】
このような構成によれば、可搬装置側制御手段は、錠装置が正常に開錠されたか否かを判定し、正常に開錠されていないと判定した場合に、建物の内部に発生した異常を検知する錠装置判定部を備えているので、例えば、錠装置を正常に開錠することができる内覧者、すなわち管理者に許可された内覧者とは異なり、ピッキングなどの不正な手段を用いた不正者の侵入を錠装置判定部にて異常として検知することができ、建物の安全性を向上させることができる。
【図面の簡単な説明】
【００２６】
【図１】本発明の一実施形態に係る無人内覧システムの概略構成図
【図２】無人内覧システムの概略構成を示す機能ブロック図
【図３】無人内覧システムの動作を示すフローチャート
【図４】行動パターン判定処理を示すフローチャート
【図５】延長報知処理を示すフローチャート
【図６】警告処理を示すフローチャート
【発明を実施するための形態】
【００２７】
以下、本発明の一実施形態を図面に基づいて説明する。
図１は、本発明の一実施形態に係る無人内覧システムの概略構成図である。
無人内覧システム１は、図１に示すように、建物２の内部に設置された内覧ロボット３と、内覧ロボット３を管理する管理機器４と、建物２の内覧を希望する内覧者の所持する携帯電話、スマートフォン、およびパーソナルコンピュータ等の端末装置５と、建物２の内覧を予約するための予約サイト６とを備えている。建物２、内覧ロボット３、管理機器４、端末装置５、および予約サイト６は、通信回線としての公衆ネットワークであるインターネット７を介して相互に通信可能に接続されている。
【００２８】
建物２は、複数の部屋２０を備え、各部屋２０には、出入口２１と、出入口２１を施解錠するための錠装置２２を備えている。錠装置２２は、管理機器４から内覧者の端末装置５に発行される暗証番号や、バーコード等の認証キーによって、解錠可能になっている。この認証キーは、利用するたびにランダムに変更され、その時間に予約をした内覧者は、固有の認証キーを用いて錠装置２２を解錠できるようになっている。各部屋２０は、ＬＡＮ（Local Area Network）を介して接続されたモデムやルータ等の通信端末装置２３を備えている。この通信端末装置２３は、インターネット７を介して管理機器４に接続されている。
【００２９】
内覧ロボット３は、建物２の内部に設置可能に構成されるとともに、可搬性を有する可搬装置である。この内覧ロボット３は、建物２を内覧させる際に、建物２を管理する不動産仲介業者によって、建物２の内部に運び込まれる。また、内覧ロボット３は、建物２に対して入居契約を締結した場合には、建物２を管理する不動産仲介業者によって、建物２の内部から撤去される。
【００３０】
内覧者は、端末装置５を用いてインターネット７を介して予約サイト６にアクセスし、内覧希望の部屋２０を探し、利用時間を指定して内覧の予約を実行することができる。予約サイト６は、内覧者からの予約を受け付けると、予約が確定した部屋２０と予約時間を含む予約情報を管理機器４に送信する。
【００３１】
図２は、無人内覧システムの概略構成を示す機能ブロック図である。
内覧ロボット３は、図２に示すように、撮像手段３１と、タッチパネル３２と、存在検知手段３３と、可搬装置側制御手段としての制御手段３４とを備えている。
撮像手段３１は、部屋２０の内部の画像を撮像する。この撮像手段３１としては、例えば、ＣＣＤ（Charge Coupled Device）カメラ等を採用できる。
タッチパネル３２は、内覧者の操作に応じて情報の入力を受け付けるとともに、内覧者に対して画像にて所定の情報を提供する。
存在検知手段３３は、部屋２０の内部における内覧者の存在を検知する。この存在検知手段３３としては、例えば、人感センサ等を採用できる他、撮像手段３１にて撮像される画像を用いることによって、内覧者の存在を検知するようにしてもよい。
【００３２】
制御手段３４は、ＣＰＵ（Central Processing Unit）や、メモリなどによって構成され、このメモリに記憶された所定のプログラムに従って情報処理を実行する。この制御手段３４は、異常通知部３４１と、錠装置判定部３４２と、接客実行部３４３と、行動パターン取得部３４４と、行動パターン判定部３４５と、指令受信部３４６と、指令実行部３４７と、申請送信部３４８と、存在通知部３４９と、記憶部３５０とを備えている。
【００３３】
ここで、記憶部３５０は、部屋２０の内覧者の正常な行動パターンの複数のサンプルを予め記憶している。具体的には、記憶部３５０は、例えば、建物の内部を見て回るなどの通常の内覧に即した行動パターンを正常な行動パターンとして記憶している。
なお、本実施形態では、記憶部３５０は、制御手段３４のメモリにて構成されているが、ＨＤＤ（Hard Disk Drive）や、ＮＡＳ（Network Attached Storage）等によって構成されてもよく、クラウドサービスによって構成されてもよい。
また、制御手段３４の各機能は、記憶部３５０に記憶されたプログラムに従って実行されているが、それぞれ独立した機器にて構成してもよく、クラウドコンピューティングによって構成してもよい。
【００３４】
異常通知部３４１は、部屋２０の内部に発生した異常を検知した場合に、インターネット７を介して管理機器４に異常を通知する。
錠装置判定部３４２は、錠装置２２が正常に開錠されたか否かを判定し、正常に開錠されていないと判定した場合に、部屋２０の内部に発生した異常を検知する。
【００３５】
接客実行部３４３は、錠装置判定部３４２にて錠装置２２が正常に開錠されていると判定した場合に、タッチパネル３２による接客を実行する。具体的には、制御手段３４は、タッチパネル３２の表示画面に部屋２０のセールスポイントを表示し、内覧者への説明を開始する。
このように、タッチパネル３２は、部屋２０の内覧者に接客する接客手段として機能している。
なお、本実施形態では、接客手段は、タッチパネル３２を採用していたが、例えば、部屋２０を自由に移動可能な移動手段を内覧ロボット３に取り付け、内覧者を誘導して部屋２０の内部を見せて回ってもよく、部屋２０に設置された照明やエアコンに通信回線を介して接続し、自動的に照明やエアコンを稼働させるようにしてもよい。要するに、接客手段は、建物の内覧者に接客することができれば、どのようなものを採用してもよい。
【００３６】
行動パターン取得部３４４は、撮像手段３１にて撮像された画像に基づいて、部屋２０の内覧者の行動パターンを取得する。
行動パターン判定部３４５は、記憶部３５０に記憶された行動パターンの複数のサンプルと、行動パターン取得部３４４にて取得された行動パターンとを比較して相違するか否かを判定し、相違すると判定した場合に、部屋２０の内部に発生した異常を検知する。
【００３７】
このように、本実施形態では、異常通知部３４１は、錠装置判定部３４２にて部屋２０の内部に発生した異常を検知した場合、および行動パターン判定部３４５にて部屋２０の内部に発生した異常を検知した場合に、インターネット７を介して管理機器４に異常を通知する。
これに対して、例えば、マイク等の集音手段にて部屋２０の内部の音を集音し、この集音した音に基づいて、部屋２０の内部の破損などが生じたか否かを判定し、部屋２０の内部の破損などが生じたと判定した場合に、部屋２０の内部に発生した異常を検知するようにしてもよい。要するに、異常通知部は、建物の内部に発生した異常を検知した場合に、通信回線を介して管理機器に異常を通知できればよい。
【００３８】
指令受信部３４６は、管理機器４からの指令を受信する。
指令実行部３４７は、指令受信部３４６にて受信した指令に基づいて、所定の動作を実行する。この所定の動作については、後に詳細に説明する。
申請送信部３４８は、内覧者による内覧時間の延長を申請する延長申請を管理機器４に送信する。具体的には、申請送信部３４８は、タッチパネル３２を介して内覧者による延長申請の入力を受け付けた場合に、インターネット７を介して管理機器４に延長申請を送信する。
存在通知部３４９は、存在検知手段３３にて内覧者の存在を検知した場合に、インターネット７を介して管理機器４に内覧者の存在を通知する。
【００３９】
管理機器４は、管理機器側制御手段としての制御手段４１を備えている。
制御手段４１は、ＣＰＵや、メモリなどによって構成され、このメモリに記憶された所定のプログラムに従って情報処理を実行する。この制御手段４１は、異常報知部４１１と、予約管理部４１２と、指令生成部４１３と、指令送信部４１４と、申請受信部４１５と、存在管理部４１６と、記憶部４１７とを備えている。
【００４０】
異常報知部４１１は、異常通知部３４１にて異常を通知された場合に、管理者に異常を報知する。具体的には、異常報知部４１１は、管理機器４に接続された表示装置（図示略）を介して管理者に異常を報知する。
予約管理部４１２は、予約により設定された内覧開始時刻および内覧終了時刻を含む予約情報を記憶部４１７に記憶させて管理する。
【００４１】
指令生成部４１３は、予約情報に基づいて、内覧ロボット３に対する指令を生成する。具体的には、指令生成部４１３は、内覧終了時刻を報知する報知指令や、予約状況に応じた内覧時間の延長の可否を報知する延長指令や、内覧終了時刻以降も内覧者が存在した場合に、内覧者に対して警告を報知する警告指令などの各種の指令を生成する。
指令送信部４１４は、インターネット７を介して内覧ロボット３に指令を送信する。
【００４２】
申請受信部４１５は、内覧ロボット３の申請送信部３４８から送信された延長申請を受信する。そして、予約管理部４１２は、申請受信部４１５にて受信した延長申請に基づいて、内覧終了時刻を変更して予約情報を更新する。
存在管理部４１６は、存在通知部３４９にて通知された内覧者の存在情報を記憶部４１７に記憶させて管理する。
【００４３】
なお、記憶部４１７は、制御手段４１のメモリにて構成されているが、ＨＤＤ（Hard Disk Drive）や、ＮＡＳ（Network Attached Storage）等によって構成されてもよく、クラウドサービスによって構成されてもよい。
また、制御手段４１の各機能は、記憶部４１７に記憶されたプログラムに従って実行されているが、それぞれ独立した機器にて構成してもよく、クラウドコンピューティングによって構成してもよい。
【００４４】
図３は、無人内覧システムの動作を示すフローチャートである。
無人内覧システム１は、メモリに記憶された所定のプログラムに従って、図３に示すように、ステップＳＴ１〜１０の処理を実行する。
なお、本実施形態では、内覧ロボット３の動作、および管理機器４の動作をまとめて無人内覧システム１の動作とし、これを共通のフローチャートを用いて説明する。
【００４５】
まず、内覧ロボット３の錠装置判定部３４２は、錠装置２２が開錠されたか否かを判定する（ステップＳＴ１）。
ステップＳＴ１にて錠装置２２が開錠されていないと判定した場合には、錠装置判定部３４２は、繰り返しステップＳＴ１の処理を実行する。
これに対して、ステップＳＴ１にて錠装置２２が開錠されたと判定した場合には、錠装置判定部３４２は、錠装置２２が正常に開錠されたか否かを判定する（ステップＳＴ２）。
【００４６】
ステップＳＴ２にて錠装置２２が正常に開錠されていないと判定した場合には、制御手段３４は、後述するステップＳＴ１０の入室異常通知処理を実行する。このステップＳＴ１０の入室異常通知処理については、後に詳細に説明する。
これに対して、ステップＳＴ２にて錠装置２２が正常に開錠されたと判定した場合には、錠装置判定部３４２は、インターネット７を介して管理機器４に問い合わせを実行し、管理機器４の記憶部４１７から予約情報を取得する（ステップＳＴ３）。
ここで、管理機器４の記憶部４１７に記憶された予約情報は、内覧者の予約により設定された内覧開始時刻および内覧終了時刻を含み、予約管理部４１２にて記憶部４１７に記憶させて管理されている。
【００４７】
管理機器４の記憶部４１７から予約情報を取得した後、制御手段３４は、この予約情報に基づいて、錠装置２２が正常に開錠された時刻が内覧開始時刻以降であるか否かを判定する（ステップＳＴ４）。
【００４８】
ステップＳＴ４にて内覧開始時刻以降でないと判定した場合には、制御手段３４は、後述するステップＳＴ１０の入室異常通知処理を実行する。このステップＳＴ１０の入室異常通知処理については、後に詳細に説明する。
これに対して、ステップＳＴ４にて内覧開始時刻以降であると判定した場合、すなわち内覧開始時刻以降に錠装置判定部３４２にて錠装置２２が正常に開錠されていると判定した場合には、接客実行部３４３は、タッチパネル３２による接客を実行する（ステップＳＴ５：接客実行処理）。具体的には、制御手段３４は、タッチパネル３２の表示画面に部屋２０のセールスポイントを表示し、内覧者への説明を開始する。
【００４９】
また、制御手段３４は、接客実行処理を開始した後、ステップＳＴ６の行動パターン判定処理を実行し、ステップＳＴ７の延長報知処理を実行する。
なお、ステップＳＴ６の行動パターン判定処理、およびステップＳＴ７の延長報知処理については、後に詳細に説明する。
【００５０】
ステップＳＴ７の延長報知処理を実行した後、制御手段３４は、現在の時刻が内覧終了時刻以降であるか否かを判定する（ステップＳＴ８）。
ステップＳＴ８にて内覧終了時刻以降でないと判定した場合には、制御手段３４は、前述したステップＳＴ５以降の処理を繰り返し実行する。
これに対して、ステップＳＴ８にて内覧終了時刻以降であると判定した場合には、制御手段３４は、ステップＳＴ９の警報処理を実行する。
なお、ステップＳＴ９の警報処理については、後に詳細に説明する。
【００５１】
また、ステップＳＴ２にて錠装置２２が正常に開錠されていないと判定した場合、およびステップＳＴ４にて内覧開始時刻以降でないと判定した場合には、前述したように、制御手段３４は、ステップＳＴ１０の入室異常通知処理を実行する。換言すれば、制御手段３４は、部屋２０の内部に発生した異常を検知した場合に、ステップＳＴ１０の入室異常通知処理を実行する。
【００５２】
ステップＳＴ１０の入室異常通知処理では、異常通知部３４１は、インターネット７を介して管理機器４に異常を通知する。
そして、管理機器４の異常報知部４１１は、異常通知部３４１にて異常を通知された場合に、管理者に異常を報知する。具体的には、異常報知部４１１は、管理機器４に接続された表示装置（図示略）を介して管理者に異常を報知する。
【００５３】
＜行動パターン判定処理＞
図４は、行動パターン判定処理を示すフローチャートである。
制御手段３４は、メモリに記憶された所定のプログラムに従って、図４に示すように、ステップＳＴ１１〜１３の行動パターン判定処理を実行する。
行動パターン判定処理では、行動パターン取得部３４４は、撮像手段３１にて撮像された画像に基づいて、部屋２０の内覧者の行動パターンを取得する（ステップＳＴ１１）。
【００５４】
ステップＳＴ１１にて部屋２０の内覧者の行動パターンを取得した後、行動パターン判定部３４５は、記憶部３５０に記憶された行動パターンの複数のサンプルと、行動パターン取得部３４４にて取得された行動パターンとを比較して相違するか否かを判定する（ステップＳＴ１２）。
ステップＳＴ１２にて相違しないと判定した場合には、制御手段３４は、行動パターン判定処理を終了する。
これに対して、ステップＳＴ１２にて相違すると判定した場合には、制御手段３４は、ステップＳＴ１３の行動異常通知処理を実行する。換言すれば、制御手段３４は、部屋２０の内部に発生した異常を検知した場合に、ステップＳＴ１３の行動異常通知処理を実行する。
【００５５】
ステップＳＴ１３の行動異常通知処理では、異常通知部３４１は、インターネット７を介して管理機器４に異常を通知する。
そして、管理機器４の異常報知部４１１は、異常通知部３４１にて異常を通知された場合に、管理者に異常を報知する。具体的には、異常報知部４１１は、管理機器４に接続された表示装置（図示略）を介して管理者に異常を報知する。
【００５６】
＜延長報知処理＞
図５は、延長報知処理を示すフローチャートである。
管理機器４の制御手段４１は、メモリに記憶された所定のプログラムに従って、図５に示すように、ステップＳＴ２１〜２９の延長報知処理を実行する。
延長報知処理では、制御手段４１は、内覧終了時刻よりも所定時間ｉ分（管理者の設定した時間であり、例えば１０分）だけ前の時刻を経過したか否かを判定する（ステップＳＴ２１）。
【００５７】
ステップＳＴ２１にて時刻を経過したと判定した場合には、制御手段４１は、記憶部４１７から予約情報を取得する（ステップＳＴ２２）。
記憶部４１７から予約情報を取得した後、制御手段４１は、この予約情報に基づいて、内覧終了時刻以降に所定時間（例えば、３０分）以上の空きがあるか否かを調べ、内覧時間を延長できるか否かを判定する（ステップＳＴ２３）。
【００５８】
ステップＳＴ２３にて内覧時間を延長できると判定した場合には、指令生成部４１３は、予約情報に基づいて、内覧ロボット３に対する指令を生成する。具体的には、指令生成部４１３は、予約状況に応じた内覧時間の延長の可否を報知する延長指令を生成する（ステップＳＴ２４）。具体的には、指令生成部４１３は、内覧時間を延長できることの情報として「内覧時間を延長することができます」という可否情報と、延長できる時間として「最大２時間まで延長することができます」という延長時間情報とを延長指令として生成する。
そして、指令送信部４１４は、インターネット７を介して内覧ロボット３に延長指令を送信する。
【００５９】
その後、内覧ロボット３の指令受信部３４６は、管理機器４からの延長指令を受信する。
そして、指令実行部３４７は、指令受信部３４６にて受信した延長指令に基づいて、所定の動作を実行する。具体的には、指令実行部３４７は、タッチパネル３２の表示画面に「内覧時間を延長することができます」、「最大２時間まで延長することができます」、および「延長する場合には画面から延長申請してください」という情報を表示させて内覧者に報知する（ステップＳＴ２５）。
【００６０】
内覧者に内覧時間を延長できることを報知した後、制御手段３４は、タッチパネル３２を介して内覧者による延長申請の入力を受け付けたか否かを判定する（ステップＳＴ２６）。
ステップＳＴ２６にて内覧者による延長申請の入力を受け付けたと判定した場合には、申請送信部３４８は、内覧者による内覧時間の延長を申請する延長申請を管理機器４に送信する。換言すれば、申請送信部３４８は、タッチパネル３２を介して内覧者による延長申請の入力を受け付けた場合に、インターネット７を介して管理機器４に延長申請を送信する。したがって、本実施形態では、タッチパネル３２は、内覧者による延長申請の入力を受け付ける入力受付手段として機能している。
申請送信部３４８にて延長申請を送信した場合には、管理機器４の申請受信部４１５は、内覧ロボット３の申請送信部３４８から送信された延長申請を受信する。そして、予約管理部４１２は、申請受信部４１５にて受信した延長申請に基づいて、内覧終了時刻を変更して予約情報を更新する（ステップＳＴ２７）。その後、内覧ロボット３および管理機器４は、延長報知処理を終了する。
【００６１】
これに対して、ステップＳＴ２６にて内覧者による延長申請の入力を受け付けていないと判定した場合（内覧者が内覧時間を延長しない選択をした場合や、所定時間の間にタッチパネル３２の操作を検出しなかった場合など）には、申請送信部３４８は、内覧者による内覧時間の延長を申請する延長申請に代えて非延長申請を管理機器４に送信する。
申請送信部３４８にて非延長申請を送信した場合には、管理機器４の申請受信部４１５は、内覧ロボット３の申請送信部３４８から送信された非延長申請を受信する。そして、指令生成部４１３は、予約情報に基づいて、内覧ロボット３に対する指令を生成する。具体的には、指令生成部４１３は、内覧終了時刻を報知する報知指令を生成する（ステップＳＴ２８）。
そして、指令送信部４１４は、インターネット７を介して内覧ロボット３に報知指令を送信する。
【００６２】
その後、内覧ロボット３の指令受信部３４６は、管理機器４からの報知指令を受信する。
そして、指令実行部３４７は、指令受信部３４６にて受信した報知指令に基づいて、所定の動作を実行する。具体的には、指令実行部３４７は、タッチパネル３２の表示画面に「内覧終了時刻まで残りｉ分です」という情報を表示させて内覧者に内覧終了時刻を報知する（ステップＳＴ２９）。その後、内覧ロボット３および管理機器４は、延長報知処理を終了する。
なお、内覧者に内覧終了時刻を報知する手段としては、タッチパネル３２の表示画面に表示させて報知する他、例えば、アラームを鳴動させて報知してもよく、部屋２０の照明を徐々に暗くして報知してもよい。
【００６３】
＜警告処理＞
図６は、警告処理を示すフローチャートである。
管理機器４の制御手段４１は、メモリに記憶された所定のプログラムに従って、図６に示すように、ステップＳＴ３１〜３５の警告処理を実行する。
警告処理では、内覧ロボット３の存在通知部３４９は、存在検知手段３３にて内覧者の存在を検知した場合に、インターネット７を介して管理機器４に内覧者の存在を通知する（ステップＳＴ３１）。
【００６４】
ステップＳＴ３１にてインターネット７を介して管理機器４に内覧者の存在を通知された場合には、管理機器４の存在管理部４１６は、存在通知部３４９にて通知された内覧者の存在情報を記憶部４１７に記憶させて管理する。
そして、管理機器４の制御手段４１は、記憶部４１７に記憶された存在情報に基づいて、内覧終了時刻以降に部屋２０に内覧者が存在しているか否かを判定する（ステップＳ３２）。
【００６５】
ステップＳ３２にて内覧終了時刻以降に部屋２０に内覧者が存在していると判定した場合には、指令生成部４１３は、予約情報に基づいて、内覧ロボット３に対する指令を生成する。具体的には、指令生成部４１３は、内覧者に対して警告を報知する警告指令を生成する（ステップＳＴ３３）。
そして、指令送信部４１４は、インターネット７を介して内覧ロボット３に警告指令を送信する。
【００６６】
その後、内覧ロボット３の指令受信部３４６は、管理機器４からの警告指令を受信する。
そして、指令実行部３４７は、指令受信部３４６にて受信した警告指令に基づいて、所定の動作を実行する。具体的には、指令実行部３４７は、タッチパネル３２の表示画面に「内覧終了時刻を終了しています」という情報を表示させて内覧者に内覧終了時刻を終了したことを報知する（ステップＳＴ３４）。また、指令実行部３４７は、撮像手段３１にて部屋２０の内部の画像を撮像し、記憶部３５０に記憶させる（ステップＳＴ３５）。その後、内覧ロボット３および管理機器４は、延長報知処理を終了する。
【００６７】
このような本実施形態によれば、以下の作用・効果を奏することができる。
（１）内覧ロボット３は、建物２の内部に設置可能に構成されるとともに、可搬性を有するので、内覧希望の建物２に内覧前に設置しておくことができ、入居契約を締結した場合には、容易に内覧ロボット３を撤去することができる。
（２）制御手段３４は、建物２の内部に発生した異常を検知した場合に、インターネット７を介して管理機器４に異常を通知する異常通知部３４１を備え、制御手段４１は、異常通知部３４１にて異常を通知された場合に、管理者に異常を報知する異常報知部４１１を備えているので、業者の立ち合いなく建物２を内覧させる場合であっても、管理者は、建物２の内部の破損などの異常を容易に把握することができる。したがって、無人内覧システム１によれば、業者の立ち合いを必要とすることなく、無人にて建物２の内覧をすることができ、建物２の内部の破損などを抑制することができる。
【００６８】
（３）制御手段３４は、錠装置２２が正常に開錠されたか否かを判定し、正常に開錠されていないと判定した場合に、建物２の内部に発生した異常を検知する錠装置判定部３４２を備えているので、例えば、錠装置２２を正常に開錠することができる内覧者、すなわち管理者に許可された内覧者とは異なり、ピッキングなどの不正な手段を用いた不正者の侵入を錠装置判定部３４２にて異常として検知することができ、建物２の安全性を向上させることができる。
（４）制御手段３４は、錠装置判定部３４２にて錠装置２２が正常に開錠されていると判定した場合に、タッチパネル３２による接客を実行する接客実行部３４３を備えているので、錠装置２２を正常に開錠することができる内覧者、すなわち管理者に許可された内覧者に対し、タッチパネル３２による接客を実行することができる。
【００６９】
（５）制御手段３４は、建物２の内覧者の正常な行動パターンのサンプルと、行動パターン取得部にて取得された行動パターンとを比較して相違するか否かを判定し、相違すると判定した場合に、建物２の内部に発生した異常を検知する行動パターン判定部３４５を備えているので、建物２の内部を物色するなどの挙動不審な行動パターンの侵入者を行動パターン判定部３４５にて異常として検知することができ、建物２の安全性を向上させることができる。
【００７０】
（６）制御手段３４は、指令送信部４１４からの指令を受信する指令受信部３４６と、指令受信部３４６にて受信した指令に基づいて、所定の動作を実行する指令実行部３４７とを備えているので、適宜な指令に基づく動作の実行によって、建物２の内部を見て回っている内覧者に対して働きかけを行うことができる。
（７）指令実行部３４７は、報知指令に基づいて、内覧者に内覧終了時刻を報知するので、内覧ロボット３は、内覧者に内覧終了時刻を報知することによって、内覧の時間超過を抑制することができ、次の内覧者の予約までの空き時間を短く設定することができ、建物２の内覧の効率を高めることができる。
【００７１】
（８）指令実行部３４７は、延長指令に基づいて、延長の可否を内覧者に報知するので、内覧終了時刻以降に予約に空きがある場合には、延長可能であることを内覧者に報知することができる。また、内覧終了時刻以降に予約に空きがない場合には、延長不能であることを内覧者に報知することができる。
（９）制御手段４１は、申請送信部３４８から送信された延長申請を受信する申請受信部４１５を備え、予約管理部４１２は、申請受信部４１５にて受信した延長申請に基づいて、内覧終了時刻を変更して予約情報を更新するので、内覧者の延長申請に基づいて、延長処理を実行できる。
（１０）指令生成部４１３は、予約情報および存在情報に基づいて、内覧終了時刻以降も内覧者が存在した場合に、内覧者に対して警告を報知する警告指令を生成し、指令実行部３４７は、警告指令に基づいて、内覧終了時刻を過ぎていることを内覧者に報知するので、内覧者に内覧の時間超過を確実に報知することができる。
【００７２】
〔実施形態の変形〕
なお、本発明は、前記実施形態に限定されるものではなく、本発明の目的を達成できる範囲での変形、改良等は本発明に含まれるものである。
例えば、前記実施形態では、無人内覧システム１の各種機能は、内覧ロボット３、および管理機器４に振り分けて実装されていたが、どの機能を内覧ロボット３、および管理機器４のどちらに振り分けて実装してもよく、無人内覧システム１の各種機能を実現することができれば適宜設計してよい。例えば、前記実施形態では、錠装置２２は、内覧ロボット３にインターネット７を介して接続されていたが、管理機器４にインターネット７を介して接続されていてもよい。この場合には、錠装置判定部は、管理機器４に実装されていてればよい。
【００７３】
前記実施形態では、管理機器４は、集中管理型のサーバ装置によって構成されていてもよく、分散管理型のものであってもよく、例えば、ブロックチェーンに代表される分散型取引台帳を利用したものなどが利用可能であり、予約情報を管理するとともに、内覧ロボット３に対して各種の指令を送信し、内覧ロボット３からの申請を受信して処理できるものであればよい。
また、前記実施形態では、管理機器４および予約サイト６は、別個に設けられるとともに、互いにインターネット７を介して接続されていたが、これに限らず、管理機器４および予約サイト６は、単一のサイトに設けられていてもよいし、管理機器４および予約サイト６の機能は、インターネット７上に分散された複数の機器によって構成されていてもよい。
【００７４】
前記実施形態では、制御手段３４は、建物２の内覧者の正常な行動パターンのサンプルと、行動パターン取得部にて取得された行動パターンとを比較して相違するか否かを判定し、相違すると判定した場合に、建物２の内部に発生した異常を検知する行動パターン判定部３４５を備えていた。これに対して、例えば、可搬装置側制御手段は、建物の内覧者の異常な行動パターンのサンプルと、行動パターン取得部にて取得された行動パターンとを比較して一致するか否かを判定し、一致すると判定した場合に、建物の内部に発生した異常を検知する行動パターン判定部を備えていてもよい。この場合には、記憶部は、建物の内部を物色するなどの挙動不審な行動パターンを異常な行動パターンとして記憶しておけばよい。
【００７５】
前記実施形態では、指令生成部４１３は、部屋２０の予約状況に応じた内覧時間の延長の可否を報知する延長指令を生成し、内覧ロボット３の指令実行部３４７は、延長の可否を内覧者に報知したが、このような延長の可否を報知する機能は省略可能である。また、前記実施形態では、内覧ロボット３は、内覧者からの延長申請の入力を受け付けるタッチパネル３２と、管理機器４に延長申請を送信する申請送信部３４８とを備え、管理機器４は、延長申請を受信する申請受信部４１５を備えていたが、このような延長の申請を入力し送受信する機能は省略可能である。さらに、これらの延長の報知、申請に係る機能は、予約サイト６を介して内覧者の端末装置５を用いて実行されてもよい。
【００７６】
前記実施形態では、指令生成部４１３は、内覧終了時刻以降も内覧者が存在した場合に、内覧者に対して警告を報知するための警告指令を生成し、内覧ロボット３の指令実行部３４７は、内覧終了時刻を過ぎていることを内覧者に報知したが、このような時間超過を報知する機能は省略可能である。また、時間超過を報知する機能は、予約サイト６を介して内覧者の端末装置５を用いて実行されてもよい。
【産業上の利用可能性】
【００７７】
以上のように、本発明は、内覧者に建物の内部を内覧させる無人内覧システムに好適に利用できる。
【符号の説明】
【００７８】
１        無人内覧システム
２        建物
３        内覧ロボット（可搬装置）
４        管理機器
２０      部屋
２２      錠装置
３１      撮像手段
３２      タッチパネル（入力受付手段）
３３      存在検知手段
３４      制御手段（可搬装置側制御手段）
４１      制御手段（管理機器側制御手段）
３４１    異常通知部
３４２    錠装置判定部
３４３    接客実行部
３４４    行動パターン取得部
３４５    行動パターン判定部
３４６    指令受信部
３４７    指令実行部
３４８    申請送信部
３４９    存在通知部
３５０    記憶部
４１１    異常報知部
４１２    予約管理部
４１３    指令生成部
４１４    指令送信部
４１５    申請受信部
４１６    存在管理部
４１７    記憶部
【要約】
【課題】業者の立ち合いを必要とすることなく、無人にて建物の内覧をすることができ、建物の内部の破損などを抑制することができる無人内覧システムの提供。
【解決手段】無人内覧システム１は、建物の内部に設置可能に構成されるとともに、可搬性を有する内覧ロボット３と、内覧ロボット３に通信回線を介して接続され、内覧ロボット３を管理する管理機器４とを備える。内覧ロボット３は、建物の内部に発生した異常を検知した場合に、通信回線を介して管理機器４に異常を通知する異常通知部３４１を備える。管理機器４は、異常通知部３４１にて異常を通知された場合に、管理者に異常を報知する異常報知部４１１を備える。
【選択図】図２【図１】
0006870885.tif 000002
【図２】
0006870885.tif 000003
【図３】
0006870885.tif 000004
【図４】
0006870885.tif 000005
【図５】
0006870885.tif 000006
【図６】
0006870885.tif 000007